(57)【要約】  情報提供サービスシステムは、携帯端末装置および通信手段を通して接続される予め登録された他の端末装置を含み、携帯端末装置に、他の端末装置に対して情報を提供するためのサーバ機能と、他の端末装置から情報にアクセスするために用いるアクセス方法に関する情報を他の端末装置に対して電子メールで送付する電子メール制御部と、他の端末装置からそのアクセス方法でアクセスされた際にサーバ機能を動作させて情報に対する閲覧対応処理を開始するサーバアクセス管理部とを有する。
2011030668.tif 000002
【特許請求の範囲】
【請求項１】
通信部を有する携帯端末装置と、前記通信部を通して前記携帯端末装置と接続される他の端末装置とを含む情報提供サービスシステムであって、  前記携帯端末装置は、  前記他の端末装置に対して情報を提供するためのサーバ機能部と、  前記他の端末装置から前記情報にアクセスするために用いるアクセス方法に関する情報を前記他の端末装置に対して電子メールで送付する電子メール制御部と、  前記他の端末装置から前記アクセス方法にてアクセスされた際に前記サーバ機能を動作させて前記情報を提供するための処理を開始するサーバアクセス管理部と、を有する情報提供サービスシステム。
【請求項２】
前記情報を提供するための処理は、前記携帯端末装置内の開示対象フォルダを前記他の端末装置に閲覧させる処理である請求項１に記載の情報提供サービスシステム。
【請求項３】
前記情報を提供するための処理は、前記携帯端末装置が前記携帯端末装置に装備された機能を実行することによって前記情報を取得する処理である請求項１に記載の情報提供サービスシステム。
【請求項４】
前記携帯端末装置に装備された機能はＧＰＳを用いた位置測定機能であり、前記情報は前記携帯端末装置の位置情報である請求項３記載の情報提供サービスシステム。
【請求項５】
前記アクセス方法に関する情報は、前記携帯端末装置を特定するためのアドレスと、前記情報を提供するための処理を特定する情報と、前記他の端末装置との通信で用いるポート番号とを含む請求項１から４のいずれか１項に記載の情報提供サービスシステム。
【請求項６】
前記ポート番号は、前記他の端末装置からのアクセス毎に新たに設定され、前記サーバ機能部がこの設定に対応する動作を行う請求項５に記載の情報提供サービスシステム。
【請求項７】
通信部を通して予め登録された他の端末装置と接続される携帯端末装置であって、  前記他の端末装置に対して情報を提供するためのサーバ機能部と、  前記他の端末装置から前記情報にアクセスするために用いるアクセス方法に関する情報を前記他の端末装置に対して電子メールで送付する電子メール制御部と、  前記他の端末装置から前記アクセス方法にてアクセスされた際に前記サーバ機能を動作させて前記情報を提供するための処理を開始するサーバアクセス管理部とを有する携帯端末装置。
【請求項８】
前記情報を提供するための処理は、前記携帯端末装置内の開示対象フォルダを前記他の端末装置に閲覧させる処理である請求項７に記載の携帯端末装置。
【請求項９】
前記情報を提供するための処理は、前記携帯端末装置が前記携帯端末装置に装備された機能を実行することによって前記情報を取得する処理である請求項７に記載の携帯端末装置。
【請求項１０】
前記携帯端末装置に装備された機能はＧＰＳを用いた位置測定機能であり、前記情報は前記携帯端末装置の位置情報である請求項９記載の携帯端末装置。
【請求項１１】
前記アクセス方法に関する情報は、前記携帯端末装置を特定するためのアドレスと、前記情報を提供するための処理を特定する情報と、前記他の端末装置との通信で用いるポート番号とを含む請求項７から１０のいずれか１項に記載の携帯端末装置。
【請求項１２】
前記ポート番号は、前記他の端末装置からのアクセス毎に新たに設定され、前記サーバ機能がこの設定に対応する動作を行う請求項１１に記載の携帯端末装置。
【請求項１３】
通信部を有する携帯端末装置と、前記通信部を通して前記携帯端末装置に接続される他の端末装置とを含むシステムに用いる情報提供サービス方法であって、  前記携帯端末装置内に前記他の端末装置に対して情報を提供するためのサーバ機能部を設け、  前記携帯端末装置が、前記他の端末装置から前記情報にアクセスするために用いるアクセス方法に関する情報を前記他の端末装置に対して電子メールで送付する処理と、  前記他の端末装置から前記アクセス方法にてアクセスされた際に前記サーバ機能を動作させて前記情報を提供するための処理を開始する処理とを実行することを特徴とする情報提供サービス方法。
【請求項１４】
前記情報を提供するための処理は、前記携帯端末装置内の開示対象フォルダを前記他の端末装置に閲覧させる処理である請求項１３に記載の情報提供サービス方法。
【請求項１５】
前記情報を提供するための処理は、前記携帯端末装置が前記携帯端末装置に装備された機能を実行することによって前記情報を取得する処理である請求項１３に記載の情報提供サービス方法。
【請求項１６】
前記携帯端末装置に装備された機能はＧＰＳを用いた位置測定機能であり、前記情報は前記携帯端末装置の位置情報である請求項１５記載の情報提供サービスシステム。
【請求項１７】
前記アクセス方法に関する情報は、前記携帯端末装置を特定するためのアドレスと、前記情報を提供するための処理を特定するための情報と、前記他の端末装置との通信で用いるポート番号とを含む請求項１３から１６のいずれか１項に記載の情報提供サービス方法。
【請求項１８】
前記ポート番号は、前記他の端末装置からのアクセス毎に新たに設定され、前記サーバ機能がこの設定に対応する動作を行う請求項１７に記載の情報提供サービス方法。
【請求項１９】
通信部を通して予め登録された他の端末装置と接続される携帯端末装置内のコンピュータに実行させるプログラムであって、  前記携帯端末装置に前記他の端末装置に対して情報を提供するためのサーバ機能を行わせる処理と、  前記他の端末装置から前記情報にアクセスするために用いるアクセス方法に関する情報を前記他の端末装置に対して電子メールで送付する処理と、  前記他の端末装置から前記アクセス方法にてアクセスされた際に前記サーバ機能を動作させて前記情報を提供するための処理を開始する処理とを含むプログラム。
【発明の詳細な説明】
【技術分野】
【０００１】  本発明は情報提供サービスシステム、携帯端末装置及びそれらに用いる情報提供サービス方法並びにそのプログラムに関する。本発明は、特に、携帯電話等の通信手段を持つ個人用情報機器において、内部に保持したデータやセンス機能等の携帯端末装置に装備された機能の実行結果を開示する情報提供サービス方法に関する。
【背景技術】
【０００２】  上述した携帯電話等の通信手段を持つ個人用情報機器においては、内部に保持したデータやセンス機能等の携帯端末装置に装備された機能の実行結果を一部の登録した友人に開示したいというニーズがある。【０００３】  例えば、携帯電話端末のユーザが自分の存在位置をＧＰＳ（Ｇｌｏｂａｌ  Ｐｏｓｉｔｉｏｎｉｎｇ  Ｓｙｓｔｅｍ）で測定し、その測地情報を家族の持つ機器から検索できるようにしたり、内蔵カメラで撮影して端末内に保存した写真を友人の持つ機器から閲覧させたりするといったニーズがある。【０００４】  このニーズに対応したサービス動作を可能とするために、携帯電話端末にサーバ機能を持たせ、外部から一定のプロトコルで要求があった時に、サーバ機能の処理によってＧＰＳの測地情報や蓄積した写真データを送信するという使い方が可能である。【０００５】  この使い方としては、例えば一般的なＷｅｂ技術を用いて、ＵＲＬ（Ｕｎｉｆｏｒｍ  Ｒｅｓｏｕｒｃｅ  Ｌｏｃａｔｏｒ）とポート番号とを含んだＨＴＴＰ（Ｈｙｐｅｒ  Ｔｅｘｔ  Ｔｒａｎｓｆｅｒ  Ｐｒｏｔｏｃｏｌ）リクエストが外部から到着した時に、それに対して端末内のＷｅｂサーバが定められた応答を行うことでこれが可能になる。【０００６】  通常、上述したようなサーバ機能は、大型コンピュータ等のサーバ装置で実現されており、携帯電話等のクライアント端末からネットワークを介してアクセスする際に、正規ユーザであるかどうかを確認するための認証が行われている（例えば、特許文献１〜４）。
【先行技術文献】
【特許文献】
【０００７】
【特許文献１】特開２００２−３００６５５号公報
【特許文献２】特開２００３−００９２４３号公報
【特許文献３】特開２００４−１０２５２５号公報
【特許文献４】特開２００６−１９５７１６号公報
【発明の概要】
【発明が解決しようとする課題】
【０００８】  通常のインタネットＷｅｂサーバであれば、常時、サーバを動作させておいてクライアントからの要求に応えている。しかしながら、携帯電話においては、上記のように、常時サーバ動作を起動しておくと、このサーバ動作による電力消費によって電池消耗が早くなってしまうという問題が起こる。また、悪意を持つ第三者からの不正な要求によるＤｏＳ（Ｄｅｎｉａｌ  ｏｆ  Ｓｅｒｖｉｃｅ）攻撃、すなわち、このサーバへの要求を繰り返してサービスの提供を不能な状態にする攻撃を被る可能性があるといった問題がある。【０００９】  また、外部のユーザＢがユーザＡの携帯電話端末ＰへのアクセスのためのＵＲＬやポート番号等を手で入力するのも不便である。【００１０】  さらに、上記の特許文献１〜４には、サーバ機能を携帯電話端末に搭載することが記載されていないので、上述した問題については全く認識されていない。【００１１】  本発明の目的は、上記の問題点を解消し、電池の消耗を過度に早めることなく、ＤｏＳ攻撃によってもたらされる携帯端末装置の機能への悪影響を軽減することができる情報提供サービスシステム、携帯端末装置及びそれらに用いる情報提供サービス方法並びにそのプログラムを提供することにある。
【課題を解決するための手段】
【００１２】  本発明による情報提供サービスシステムは、通信部を有する携帯端末装置と、前記通信部を通して携帯端末装置と接続される他の端末装置とを含み、  前記携帯端末装置は、  前記他の端末装置に対して情報を提供するためのサーバ機能部と、  前記他の端末装置から前記情報にアクセスするために用いるアクセス方法に関する情報を前記他の端末装置に対して電子メールで送付する電子メール制御部と、  前記他の端末装置から前記アクセス方法にてアクセスされた際に前記サーバ機能部を動作させて前記情報を提供するための処理を開始する手段と、を備えている。【００１３】  本発明による携帯端末装置は、通信部を通して予め登録された他の端末装置と接続される携帯端末装置であって、  前記他の端末装置に対して情報を提供するためのサーバ機能部と、  前記他の端末装置から前記情報にアクセスするために用いるアクセス方法に関する情報を前記他の端末装置に対して電子メールで送付する電子メール制御部と、  前記他の端末装置から前記アクセス方法にてアクセスされた際に前記サーバ機能部を動作させて前記情報を提供するための処理を開始するサーバアクセス管理部と、を備えている。【００１４】  本発明による情報提供サービス方法は、通信部を有する携帯端末装置と、前記通信部を通して前記携帯端末装置と接続される他の端末装置とを含むシステムに用いる情報提供サービス方法であって、  前記携帯端末装置内に前記他の端末装置に対して情報を提供するためのサーバ機能部を設け、  前記携帯端末装置が、前記他の端末装置から前記情報にアクセスするために用いるアクセス方法に関する情報を前記他の端末装置に対して電子メールで送付する処理と、  前記他の端末装置から前記アクセス方法にてアクセスされた際に前記サーバ機能部を動作させて前記情報を提供するための処理を開始する処理と、を実行する。【００１５】  本発明によるプログラムは、通信手段を通して予め登録された他の端末装置と接続される携帯端末装置内のコンピュータに実行させるプログラムであって、  前記携帯端末装置内に前記他の端末装置に対して情報を提供するためのサーバ機能を行わせる処理と、  前記他の端末装置から前記情報にアクセスするために用いるアクセス方法に関する情報を前記他の端末装置に対して電子メールで送付する処理と、  前記他の端末装置から前記アクセス方法にてアクセスされた際に前記サーバ機能部を動作させて前記情報を提供するための処理を開始する処理とを含む。
【発明の効果】
【００１６】  本発明は、上記のような構成及び動作とすることによって、電力消費を少なくして電池の消耗を低減し、悪意を持つ第三者からのＤｏＳ攻撃による携帯端末装置への悪影響を軽減することができるという効果が得られる。
【図面の簡単な説明】
【００１７】
【図１】本発明の実施形態による情報提供サービスシステムを示すブロック図である。
【図２】図１に示された情報提供サービスシステムにおけるアクセス管理記憶部の管理テーブルの形式を示す図である。
【図３】本発明の第１の実施形態による情報提供サービスシステムの動作例を示すシーケンスチャートである。
【図４】本発明の第１の実施形態において用いられる電子メールを示す図である。
【図５】本発明の第２の実施形態による情報提供サービスシステムの動作例を示すシーケンスチャートである。
【図６】本発明の第２の実施形態において用いられる電子メールを示す図である。
【発明を実施するための形態】
【００１８】  次に、本発明の実施形態について図面を参照して説明する。  まず、本発明の実施形態による情報提供サービス方法の概要について説明する。本発明の実施形態による情報提供サービスでは、携帯電話端末Ｐ内にＷｅｂサーバ機能を持たせ、情報を提供するための処理、すなわち、携帯電話端末Ｐ内に記録された写真等のデータを予め登録された友人等が保持するクライアント端末Ｑからアクセスさせて閲覧を可能とする処理を行う。また、本発明の別の実施形態では、予め登録されたクライアント端末Ｑからの要求によって、情報を提供するための処理、すなわち、携帯電話端末ＰにＧＰＳによる位置センスを行わせ、得られた位置情報を端末Ｑに通知するという処理を行う。
【００１９】  本発明による情報提供サービス方法では、そのデータアクセスに用いるアクセス方法に関する情報を携帯電話端末Ｐからクライアント端末Ｑへ電子メールで送付しておく。端末Ｑがこのアクセス方法で携帯電話端末Ｐをアクセスした場合に、携帯電話端末ＰがＷｅｂサーバ機能を動作させて閲覧処理またはセンス機能処理等を開始する。
【００２０】  また、本発明による情報提供サービスにおいては、携帯電話端末Ｐから送信されるアクセス方法に関する情報として、ＵＲＬ（Ｕｎｉｆｏｒｍ  Ｒｅｓｏｕｒｃｅ  Ｌｏｃａｔｏｒ）、ポート番号、及び認証方法の情報がクライアント端末Ｑへ電子メール（誘導メール）で送付される。端末Ｑがこのアクセス方法に関する情報を用いてアクセスした際に、携帯電話端末ＰはＷｅｂサーバを動作させて情報提供を可能とする。
【００２１】  上記のように、この情報提供サービスにおいては、登録された端末Ｑへ送った誘導メールへの端末Ｑからのリプライを条件として、携帯電話端末Ｐがサーバ機能を起動する。したがって、携帯電話端末Ｐが常時サーバ機能を起動している場合に比べて、電力消費が少なく、電池の消耗を抑制することができる。
【００２２】  また、この情報提供サービスにおいては、データの開示毎に異なるポート番号を用いる。これによって、悪意を持つ第三者からのＤｏＳ攻撃による端末機能への悪影響を軽減することができる。
【００２３】  さらに、本情報提供サービスにおいては、端末Ｑにおいて、携帯電話端末ＰへのアクセスのためのＵＲＬやポート番号等を手で入力する必要がなく、アクセスしやすいという利点もある。
【００２４】  図１は本発明の実施形態による情報提供サービスシステムの構成例を示すブロック図である。  図１において、本実施形態による情報提供サービスシステムは、携帯電話端末Ｐ（サーバ端末）と、情報の開示を受けるクライアント端末Ｑとから構成される。携帯電話端末Ｐとクライアント端末Ｑとは、公衆通信網やＷｉＦｉ（Ｗｉｒｅｌｅｓｓ−Ｆｉｄｅｌｉｔｙ）によるＬＡＮ（Ｌｏｃａｌ  Ａｒｅａ  Ｎｅｔｗｏｒｋ）接続等で通信する。図１においては、基本的に実線がデータの流れ、破線が制御の流れを示している。
【００２５】  携帯電話端末Ｐは、ユーザＡが保持および管理し、測地機能等を行うためのアプリケーションプログラムの実行や、撮影画像を含むコンテンツを保持し、後述するような情報提供のためのサーバ動作を行う。
【００２６】  携帯電話端末Ｐは、通信部１１と、電子メール制御部１２と、ユーザインタフェース部１３と、実行管理部１４と、サーバアクセス管理部１５と、コンテンツ保持部１６と、ＧＰＳ（Ｇｌｏｂａｌ  Ｐｏｓｉｔｉｏｎｉｎｇ  Ｓｙｓｔｅｍ）機能部１７と、アクセス管理記憶部１８とを備えている。携帯電話端末Ｐのサーバ機能部１５’は、サーバアクセス管理部１５内に搭載されている。
【００２７】  クライアント端末Ｑは、情報開示を受けるユーザＢが保持・管理し、ユーザＡから情報を提供される。端末Ｑは、通信部２１と、電子メール制御部２２と、ユーザインタフェース部２３と、ブラウザ機能部２４とを備えている。
【００２８】  携帯電話端末Ｐにおいて、ユーザインタフェース部１３は、キー入力部を用いてユーザからデータおよび命令の入力を受け、またユーザへの情報を画面等の表示部に出力する。実行管理部１４は、ユーザインタフェース部１３から入力されたユーザの指示によって、端末Ｐ内に装備された各種機能の実行やアプリケーションの実行管理を行う。通信部１１は、データに暗号化を行ったうえで、クライアント端末Ｑ等と電子メールやＷｅｂアクセスの通信を行う。電子メール制御部１２は、電子メールの編集、送信、および受信等を行う。
【００２９】  コンテンツ保持部１６は、図示せぬ内蔵カメラで撮影された写真等を保持する。ＧＰＳ機能部１７は、ＧＰＳにより現在の位置を測定する。サーバアクセス管理部１５は、Ｗｅｂサーバ機能を実行する。アクセス管理記憶部１８は、外部からのサーバアクセスの管理テーブルを保持および管理する。
【００３０】  図２は図１のアクセス管理記憶部１８の管理テーブルの形式を示す図である。図２において、管理テーブルは、相手（「Ｂさん」）、相手アドレス（「Ｂｂｂｂ＠ｘｘ．ｙｙ．ｊｐ」）、キーワード（「ｍｙＷｅｂ−ＬＤＮ」，「ｍｙＧＰＳ−ｏｎ」）、フォルダ名（「ｆｏｌｄｅｒ３２１」）、サービス名（実行する機能名）（「ＧＰＳｓｅｒｖｉｃｅ」）から構成されている。
【００３１】  図３は本発明の第１の実施形態による情報提供サービスシステムの動作例を示すシーケンスチャートであり、図４は本発明の第１の実施形態による情報提供サービスシステムの動作例を示す図である。図１〜図４を参照して、ユーザＡが自分の携帯電話端末Ｐ内にある写真データを、友人であるユーザＢの端末Ｑからの閲覧要求に応えて開示する場合の動作ついて説明する。尚、図３に示す携帯電話端末Ｐの処理は、携帯電話端末Ｐ内のコンピュータ（ＣＰＵ−中央処理装置）がプログラムを実行することで実現される。
【００３２】  図３を参照すると、まず、ユーザＡはどのデータを開示対象とし、誰に対して（この場合はユーザＢ）、データを開示するか等のポリシーを決める（ステップＳ１）。次に、ユーザＡは開示対象とする写真をまとめてフォルダ（ｆｏｌｄｅｒ３２１）に格納し、そのフォルダのＷｅｂコンテンツを記述するファイル（ｉｎｄｅｘ．ｈｔｍｌ等）をＨＴＭＬ（Ｈｙｐｅｒ  Ｔｅｘｔ  Ｍａｒｋｕｐ  Ｌａｎｇｕａｇｅ）等で用意する（ステップＳ２）。
【００３３】  次に、携帯電話端末Ｐは、このフォルダの開示ポリシー等をアクセス管理記憶部１８の管理テーブル（図２）に記録し、テーブルを更新する（ステップＳ３）。具体的には、アクセス管理記憶部１８は、ユーザＢの携帯端末Ｑのメールアドレス、ユーザＢから開示対象を指定するためのキーワード、開示対象とする写真データの入った携帯電話端末Ｐ内のフォルダ名を記録する。尚、メールアドレスは、ユーザＢを認証するために用いている。したがって、もし第三者による偽アドレス使用による成りすまし等があり得る場合にはさらに厳密な認証ツールを用いてもよい。
【００３４】  ユーザＢによる閲覧を誘導するため、携帯電話端末Ｐは、電子メール制御部１２を用い、ユーザＢへメールａ（図４）を送る（ステップＳ４）。ユーザＢは上記開示対象フォルダの閲覧を希望する場合、メールａ（図４）に記載されたキーワード「ｍｙＷｅｂ−ＬＤＮ」を含むメールｂ（図４）をユーザＡへ返信する（ステップＳ１１）。
【００３５】  携帯電話端末Ｐの電子メール制御部１２は、メールｂにこのキーワードが含まれていることを検出し、さらにこのメールｂの発信元アドレスがユーザＢであること（アドレスが「Ｂｂｂｂ＠ｘｘ．ｙｙ．ｊｐ」であること）を確認すると、その旨をサーバアクセス管理部１５に通知する。サーバアクセス管理部１５は、アクセス管理記憶部１８の管理テーブルを参照し、適当なポート番号を定めてサーバ機能を起動する。さらに、サーバアクセス管理部１５は、通信ポートを用意し、外部からのアクセスへ対応する状態になる（ステップＳ５）。
【００３６】  携帯電話端末Ｐは、サーバ機能の準備ができると、電子メール制御部１２を用い、メールｃ（図４）をユーザＢへ送る（ステップＳ６およびＳ７）。メールｃには、外部からのアクセスに用いるＵＲＬを含む。メールｃの例では、「１２３．４５６．７８．９９」というＩＰ（Ｉｎｔｅｒｎｅｔ  Ｐｒｏｔｏｃｏｌ）アドレスでアドレスされる機器の「ｆｏｌｄｅｒ３２１」というフォルダに、ポート「５４３２１」でアクセスすることによって、開示フォルダの内容が閲覧できる、ということを通知している。
【００３７】  ユーザＢは、このメールｃを受けて、このＵＲＬをクリックする（あるいはブラウザのアドレス部にこの行を貼り付ける）（ステップＳ１２）ことによって、携帯電話端末Ｐをアクセスする。携帯電話端末Ｐは、情報を提供するための処理、すなわち、サーバ機能によって開示対象フォルダをユーザＢに閲覧させる処理を行う。これによって、ユーザＢは、ユーザＡが用意したＷｅｂページをクライアント端末Ｑのブラウザ機能部２４に表示し（図４のＨ）、そのＷｅｂページを閲覧することができる（ステップＳ８およびＳ１２）。
【００３８】  このようにして、この開示フォルダはユーザＢによって閲覧が可能になる。ユーザＡはこの閲覧の有効期限を、例えば「１時間のみ」等と定めることができる。有効期限が切れた場合、ユーザＢからメールｂを再送することで、再閲覧を許すようにしても良い。その際、携帯電話端末Ｐは、上記の通信ポートとは異なる別のポートを用意することで、第三者からのＤｏＳ攻撃を防ぐことができる。
【００３９】  また、上記の例では、メールの発信元アドレスの確認のみで開示先の認証を行っている。さらに安全性を増すために、予め互いに合意したパスワード等によって認証を行い、安全性を高めることもできる。
【００４０】  このように、本実施形態によれば、登録された開示先へ送った誘導メール（メールａ）へのリプライ（メールｂ）を条件として携帯電話端末Ｐのサーバ機能を起動する。これによって、常時、サーバ機能を起動している場合に比べて、電力消費を低減し、電池消耗を抑えることができる。
【００４１】  また、本実施形態によれば、Ｗｅｂページの開示を許可する毎に異なるポート番号を付与している。これによって、悪意を持つ第三者からのＤｏＳ攻撃を防止し、携帯電話端末Ｐへの悪影響を軽減することができる。
【００４２】  さらに、本実施形態によれば、ユーザＢにとっても、ユーザＡの携帯電話端末ＰへのアクセスのためのＵＲＬやポート番号等を直接手で入力する必要がなく、簡単な操作でアクセスできるという利点もある。
【００４３】  図５は本発明の第２の実施形態による情報提供サービスシステムの動作例を示すシーケンスチャートであり、図６は本発明の第２の実施の形態による情報提供サービスシステムの動作例を示す図である。尚、本発明の第２の実施の形態による情報提供サービスシステムの構成は図１に示す情報提供サービスシステムと同様であり、管理テーブルの構成も図２に示すものと同様である。
【００４４】  図１と図２と図５と図６とを参照して、家族であるユーザＢのクライアント端末Ｑからの位置情報の通知要求に応えて、ユーザＡが自分の携帯電話端末Ｐ内のＧＰＳ機能部１７の内蔵センサを用いて、そのセンス結果を通知する場合の動作について説明する。図５に示す携帯電話端末Ｐの処理は、携帯電話端末Ｐ内のコンピュータ（ＣＰＵ）がプログラムを実行することで実現される。
【００４５】  図５を参照して、まず、ユーザＡは携帯電話端末Ｐに装備された機能のうち、どのような機能から得られたデータ（例：ＧＰＳ）を開示対象とし、誰に対して（この場合は、ユーザＢ）、そのデータを開示するか等のポリシーを決める（ステップＳ２１）。次に、ユーザＡは、この開示ポリシーをアクセス管理記憶部１８の管理テーブル（図２）に記録し、テーブルを更新する（ステップＳ２２）。ここでは、ユーザＢの携帯電話端末Ｑのメールアドレス、ユーザＢから開示対象を指定するときに用いられるキーワード、ユーザＢの要求に従って実行する機能（サービス名）を含む。
【００４６】  ユーザＢによる要求を誘導するため、携帯電話端末Ｐは、電子メール制御部１２を用い、ユーザＢへメールｄ（図６）を送る（ステップＳ２３）。ユーザＢは携帯電話端末ＰによるＧＰＳ機能を起動させ、携帯電話端末Ｐの位置情報を要求する場合、メールｄに記載されたキーワード「ｍｙＧＰＳ−ｏｎ」を含むメールｅ（図６）をユーザＡへ返信する（ステップＳ３１）。
【００４７】  携帯電話端末Ｐの電子メール制御部１２は、メールｅにこのキーワードが含まれていることを検出し、さらにこのメールｅの発信元アドレスがユーザＢであること（アドレスが「Ｂｂｂｂ＠ｘｘ．ｙｙ．ｊｐ」であること）を確認すると、その旨をサーバアクセス管理部１５に通知する。サーバアクセス管理部１５は、アクセス管理記憶部１８の管理テーブルを参照し、適当なポート番号を定めてサーバ機能を起動する。さらに、サーバアクセス管理部１５は、通信ポートを用意し、外部からのアクセスへ対応する状態になる（ステップＳ２４）。
【００４８】  携帯電話端末Ｐは、サーバ機能の準備ができると、電子メール制御部１２を用い、メールｆ（図６）をユーザＢへ送る（ステップＳ２５およびＳ２６）。メールｆには、外部からのアクセスに用いるＵＲＬを含む。メールｆの例では、「１２３．４５６．７８．９９」というＩＰアドレスでアドレスされる機器の、「ＧＰＳｓｅｒｖｉｃｅ」というサービス（センス機能）に、ポート「７６５４３」でアクセスすることによって、携帯電話端末Ｐに装備された機能（サービス）が実行される、ということを通知している。
【００４９】  ユーザＢは、このメールｆを受けて、このＵＲＬをクリックする（ステップＳ３２）ことによって、携帯電話端末Ｐをアクセスする。携帯電話端末Ｐは、情報を提供するための処理、すなわち、ＧＰＳによる位置センス機能を実行し、携帯電話端末Ｐ（ユーザＡ）の位置情報を取得する処理を行う。こうして得られたユーザＡの位置情報は、ユーザＢに提供される（ステップＳ２７）。クライアント端末Ｑでは、例えばその位置情報を基にユーザＡの位置を、他の地図サービスで得た地図上に重畳表示して端末Ｑのブラウザ機能部２４に表示する（図６のＩ参照）。このようにて、ユーザＢは、ユーザＡの位置を把握することができる（ステップＳ３３）。
【００５０】  このように、本実施形態によれば、ユーザＢへ送った誘導メール（メールｄ）へのリプライ（メールｅ）を条件として携帯電話端末ＰのＧＰＳ機能を起動する。これによって、常時、ＧＰＳ機能を起動している場合に比べて、電力消費を低減し、電池消耗を抑えることができる。
【００５１】  また、本実施形態によれば、ＧＰＳ機能の起動を許可する毎に異なるポート番号を付与する。これによって、悪意を持つ第三者からのＤｏＳ攻撃を防止し、携帯電話端末Ｐへの悪影響を軽減することができる。
【００５２】  本願は、２００９年９月９日に、日本に出願された特願２００９−２０７６０８号に基づき優先権を主張し、その内容をここに援用する。
【産業上の利用可能性】
【００５３】  本発明は、携帯電話機を含む携帯型情報通信機器一般に適用可能である。つまり、本発明は、携帯電話機のほかに、通信機能を備えたノート型パーソナルコンピュータ等に適用可能である。
【符号の説明】
【００５４】  Ｐ  携帯電話端末  Ｑ  クライアント端末  １１，２１  通信部  １２，２２  電子メール制御部  １３，２３  ユーザインタフェース部  １４  実行管理部  １５  サーバアクセス管理部  １５’  サーバ機能部  １６  コンテンツ保持部  １７  ＧＰＳ機能部  １８  アクセス管理記憶部  ２４  ブラウザ機能部
【図１】
2011030668.tif 000003
【図２】
2011030668.tif 000004
【図３】
2011030668.tif 000005
【図４】
2011030668.tif 000006
【図５】
2011030668.tif 000007
【図６】
2011030668.tif 000008
【国際調査報告】
2011030668.tif 000009
2011030668.tif 000010
2011030668.tif 000011
2011030668.tif 000012
2011030668.tif 000013
2011030668.tif 000014